(57)【要約】【課題】測定器の小型化を図ることができるパルス試験システム等を提供する。【解決手段】測定器１は、光ファイバ回線に向けて光パルスを出力するとともに、光ファイバ回線からの戻り光を受光し、戻り光の強度および戻り光の受光タイミングを試験結果として保存する。携帯端末装置２は、測定器１に保存された試験結果を、測定器との間の無線通信を介して取得する。【選択図】図１
2011038892.tif 000002
【特許請求の範囲】
【請求項１】
光ファイバ回線に光パルスを与え、前記光ファイバ回線からの戻り光に基づいて前記光ファイバ回線を試験する光パルス試験システムにおいて、
前記光ファイバ回線に向けて光パルスを出力するとともに、前記光ファイバ回線からの戻り光を受光し、前記戻り光の強度および前記戻り光の受光タイミングを試験結果として保存する測定器と、
前記測定器に保存された前記試験結果を、前記測定器との間の無線通信を介して取得する携帯端末装置と、
を備えることを特徴とする光パルス試験システム。
【請求項２】
前記携帯端末装置は当該携帯端末装置への操作を介して前記光ファイバ回線の試験に関する指示を受け付けるとともに、前記測定器との間の無線通信を介して前記測定器に対して前記指示を送信し、前記測定器は受信された前記指示に応じた動作を実行することを特徴とする請求項１に記載の光パルス試験システム。
【請求項３】
前記携帯端末装置は、当該携帯端末装置により取得された前記試験結果を前記測定器以外のコンピュータに向けて転送可能に構成されていることを特徴とする請求項１または２に記載の光パルス試験システム。
【請求項４】
光ファイバ回線に光パルスを与え、前記光ファイバ回線からの戻り光に基づいて前記光ファイバ回線を試験する光パルス試験システムに用いられる携帯端末装置であって、
前記光ファイバ回線に向けて光パルスを出力するとともに前記光ファイバ回線からの戻り光を受光し、前記戻り光の強度および前記戻り光の受光タイミングを試験結果として保存する測定器に保存された前記試験結果を、前記測定器との間の無線通信を介して取得することを特徴とする携帯端末装置。
【請求項５】
前記携帯端末装置は当該携帯端末装置への操作を介して前記光ファイバ回線の試験に関する指示を受け付けるとともに、前記測定器との間の無線通信を介して前記測定器に対して前記指示を送信し、前記測定器は受信された前記指示に応じた動作を実行することを特徴とする請求項４に記載の携帯端末装置。
【発明の詳細な説明】
【技術分野】
【０００１】
本発明は、光ファイバ回線に光パルスを与え、前記光ファイバ回線からの戻り光（出射した光パルスの反射光および後方散乱光）に基づいて前記光ファイバ回線を試験する光パルス試験システム等に関する。
【背景技術】
【０００２】
光ファイバ回線に光パルスを与え、光ファイバ回線からの戻り光に基づいて光ファイバ回線を試験する光パルス試験システムが知られている。光ファイバ回線には光ファイバ同士を接続する接続点があり、この部分で光量の損失が発生する。また、光ファイバに損傷等があれば、その部分でも光量の損失が発生する。光パルス試験システムでは、損失が発生している位置やその損失の程度を計測するための測定器を回線網の各部に設置することで、光ファイバ回線の状態を監視している。測定器は、光ファイバ回線に向けて光パルスを出力するとともに、光ファイバ回線からの戻り光を受光し、その戻り光の強度および受光タイミングを試験結果として取得、表示する機能を備えている（例えば、特許文献１参照）。
【先行技術文献】
【特許文献】
【０００３】
【特許文献１】特開２００１−０２１４４５号公報
【発明の概要】
【発明が解決しようとする課題】
【０００４】
しかし、測定器が設置される現場で試験結果を確認する必要があることなどの理由により、従来の光パルス試験システムで使用される上記の測定器は、試験結果等を表示するための表示装置等を備えており、測定器の大型化が避けられない。このため、光ファイバ回線を常時監視する場合には、測定器を常時設置しておくための大きな設置スペースを必要とする。また、光ファイバの敷設工事現場に測定器を持ち込む場合でも、通常、狭いスペースでの測定作業を強いられるため、測定器の小型化を図る必要がある。
【０００５】
本発明の目的は、測定器の小型化を図ることができるパルス試験システム等を提供することにある。
【課題を解決するための手段】
【０００６】
本発明の光パルス試験システムは、光ファイバ回線に光パルスを与え、前記光ファイバ回線からの戻り光に基づいて前記光ファイバ回線を試験する光パルス試験システムにおいて、前記光ファイバ回線に向けて光パルスを出力するとともに、前記光ファイバ回線からの戻り光を受光し、前記戻り光の強度および前記戻り光の受光タイミングを試験結果として保存する測定器と、前記測定器に保存された前記試験結果を、前記測定器との間の無線通信を介して取得する携帯端末装置と、を備えることを特徴とする。
この光パルス試験システムによれば、測定器に保存された試験結果を、上記測定器との間の無線通信を介して取得する携帯端末装置を備えるので、測定器の表示装置を省くことができ小型化を図ることができる。
【０００７】
前記携帯端末装置は当該携帯端末装置への操作を介して前記光ファイバ回線の試験に関する指示を受け付けるとともに、前記測定器との間の無線通信を介して前記測定器に対して前記指示を送信し、前記測定器は受信された前記指示に応じた動作を実行してもよい。
【０００８】
前記携帯端末装置は、当該携帯端末装置により取得された前記試験結果を前記測定器以外のコンピュータに向けて転送可能に構成されていてもよい。
【０００９】
本発明の携帯端末装置は、光ファイバ回線に光パルスを与え、前記光ファイバ回線からの戻り光に基づいて前記光ファイバ回線を試験する光パルス試験システムに用いられる携帯端末装置であって、前記光ファイバ回線に向けて光パルスを出力するとともに前記光ファイバ回線からの戻り光を受光し、前記戻り光の強度および前記戻り光の受光タイミングを試験結果として保存する測定器に保存された前記試験結果を、前記測定器との間の無線通信を介して取得することを特徴とする。
この携帯端末装置によれば、測定器に保存された試験結果を、上記測定器との間の無線通信を介して取得するので、測定器の表示装置を省くことができ小型化を図ることができる。
【００１０】
前記携帯端末装置は当該携帯端末装置への操作を介して前記光ファイバ回線の試験に関する指示を受け付けるとともに、前記測定器との間の無線通信を介して前記測定器に対して前記指示を送信し、前記測定器は受信された前記指示に応じた動作を実行してもよい。
【発明の効果】
【００１１】
本発明の光パルス試験システムによれば、測定器に保存された試験結果を、上記測定器との間の無線通信を介して取得する携帯端末装置を備えるので、測定器の表示装置を省くことができ小型化を図ることができる。
【００１２】
本発明の携帯端末装置によれば、測定器に保存された試験結果を、上記測定器との間の無線通信を介して取得する測定器の小型化を図ることができる。
【図面の簡単な説明】
【００１３】
【図１】光パルス試験システムの構成を示すブロック図。
【図２】光パルス試験システムの動作を示す図であり、（ａ）は測定器により得られる試験結果の例を示す図、（ｂ）は携帯端末装置とパーソナルコンピュータとの接続形態を示す図。
【発明を実施するための形態】
【００１４】
以下、本発明による光パルス試験システムの実施形態について説明する。
【００１５】
図１は、本実施形態の光パルス試験システムの構成を示すブロック図である。
【００１６】
図１に示すように、本実施形態の光パルス試験システムは、光ファイバ回線を構成する光ファイバ５に向けて光パルスを出力するとともに、上記光ファイバ回線からの戻り光を受光し、戻り光の強度および受光タイミングを試験結果として保存する測定器１と、測定器１に保存された上記試験結果を、測定器１との間の無線通信を介して取得する携帯端末装置２と、を備える。
【００１７】
図１に示すように、測定器１には、光ファイバ５に向けて光パルスを出力するとともに、光ファイバ５を経由して戻ってきた戻り光を受光し、その戻り光の強度および受光タイミングを検出する測定部１１と、測定部１１で検出された戻り光の強度および受光タイミングを試験結果として格納する格納部１２と、携帯端末装置２との間で赤外線通信を実行する通信部１３と、が設けられる。
【００１８】
測定器１は測定部１１により光ファイバ回線を試験し、試験結果を格納部１２に蓄積する。また、携帯端末装置２からの要求に応じて、通信部１３が格納部１２に格納された試験結果を送信する。また、携帯端末装置２からの要求を通信部１３が受信し、測定部１１で使用するパラメータの変更や読み出し、あるいは測定の開始や停止などを測定部１１へ伝える。
【００１９】
携帯端末装置２は携帯型電話やＰＤＡに類する端末装置であり、ＩｒＤＡ規格等の赤外線通信機能を備え、通信部１３との間で通信を実行する。このような通信機能によって、測定器１に蓄積された試験結果を読み出して内部のメモリに蓄積することができる。また、その試験結果を表示画面２１に測定波形としてグラフィック表示することができる。
【００２０】
次に、本実施形態の光パルス試験システムの動作について説明する。
【００２１】
図２（ａ）は、測定器１の測定部１１により得られる試験結果の例を示す図である。図２（ａ）に示すように、試験結果は、縦軸に光ファイバ回線からの戻り光の強度を、横軸にその戻り光の受光タイミングをとった測定波形として示される。戻り光の受光タイミングは光ファイバ５に向けて出力される光パルスの出力時からの経過時間であり、その経過時間は光パルスが反射または散乱された位置までの距離に換算される。これにより、光ファイバの融着（スプライス）損失や伝搬損失、破断点からのフレネル反射などを測定し、光通信が正常に行われる状態にあるか否かを試験する。
【００２２】
例えば、図２（ａ）におけるピーク５１は、光ファイバ回線において光ファイバ同士が接続された接続部で上記の光パルスが反射され、測定器１まで戻る成分を示す。また、図２（ａ）におけるピーク５２は、光ファイバ回線の終端で上記の光パルスが反射され、測定器１まで戻る成分を示す。その他、光ファイバの断線や損傷部分、あるいは折れ曲がり部分で強い光反射あるいは損失が生ずるため、光ファイバ回線の状況を監視することが可能となる。光ファイバが正常でもファイバ内での損失があるため、図２（ａ）に示すように、全体として距離の増加とともに検出される光量が低下する右肩下がりの特性を示す。
【００２３】
測定部１１により得られた試験結果は、測定器１の格納部１２に格納される。
【００２４】
格納部１２に格納された試験結果は、携帯端末装置２に転送、蓄積することができる。携帯端末装置２がユーザによる所定の操作を受け付けると、携帯端末装置２と測定器１の通信部１３との間での赤外線通信が行われ、格納部１２に格納されている試験結果が携帯端末装置２に転送、蓄積される。
【００２５】
図１に示すように、携帯端末装置２には測定器１の設置場所において試験結果を確認するための表示画面２１が設けられ、戻り光の強度とその戻り光の受光タイミングとの関係を示すグラフが表示画面２１に表示可能とされている。
【００２６】
また、携帯端末装置２は、測定器１に対するリモートコントローラとして機能する。上記赤外線通信は双方向通信のプロトコルによるものであり、携帯端末装置２から測定器１へ命令が送られるとともに、測定器１から携帯端末装置２へ応答が送られる。
【００２７】
例えば、携帯端末装置２は、測定器１による測定の設定パラメータを測定器１から読み出し、あるいは、測定器１に設定されている上記設定パラメータを変更する機能を備える。
【００２８】
ユーザによる設定パラメータの読み出しの指示は携帯端末装置２の操作部２２あるいは表示画面２１に設けられたタッチパネル等により受け付けられる。受け付けられた指示は携帯端末装置２と測定器１の通信部１３との間での赤外線通信により転送され、測定器１に与えられる。測定器１では、転送されてきた指示に従って、上記赤外線通信により測定器１に設定されている設定パラメータを携帯端末装置２に返す。これにより、ユーザは携帯端末装置２を介して測定器１に設定されている設定パラメータを確認できる。
【００２９】
ユーザによる設定パラメータの変更の指示は携帯端末装置２の操作部２２等を介して受け付けられる。受け付けられた指示は上記赤外線通信により転送され、測定器１に与えられる。測定器１では、転送されてきた指示に従って、設定パラメータの変更処理を実行し、上記赤外線通信により設定パラメータを変更した旨を携帯端末装置２に通知する。
【００３０】
また、携帯端末装置２は、測定器１による測定の開始、停止を指示するコマンドを測定器１に送信する機能を備える。測定の開始、停止の指示は携帯端末装置２の操作部２２等により受け付けられる。受け付けられた指示は上記赤外線通信により上記コマンドとして測定器１に転送される。測定部１１はコマンドに従って、測定を開始し、あるいは測定を停止する。
【００３１】
以上のように、本実施形態では、携帯端末装置２に測定器１に蓄積された試験結果を表示する機能をもたせているので、測定器１に表示装置を設ける必要がない。また、携帯端末装置２が測定器１に対するリモートコントローラとして機能するため、測定器１に操作を受け付けるためのプッシュボタンやロータリエンコーダ等を設ける必要がない。このため、測定器１の小型化を図ることができる。また、測定器１の低コスト化を図ることができる。
【００３２】
なお、携帯端末装置２と測定器１との間の通信方式は赤外線通信に限定されない。例えば、ブルートゥース規格のような近距離無線通信を適用することもできる。
【００３３】
図２（ｂ）は、携帯端末装置とパーソナルコンピュータとの接続形態を示す図である。
【００３４】
図２（ｂ）に示すように、携帯端末装置２に設けられた上記の赤外線通信などの通信機能を用いて、パーソナルコンピュータ３と接続可能とすることができる。例えば、対応する通信機能を備えたパーソナルコンピュータ３に向けて携帯端末装置２のメモリに蓄積した試験結果を通信転送し、パーソナルコンピュータ３の画面上に試験結果を表示することもできる。この場合、パーソナルコンピュータ３に測定器１による試験結果を表示するためのアプリケーションソフトウェアを実装しておけばよく、このソフトウェアに試験結果を加工する機能（例えばディジタルフィルタ等の機能）をもたせることにより、パーソナルコンピュータ３を用いて試験結果の解析等を行うことも可能となる。
【００３５】
一方、図２（ｂ）に示す携帯端末装置２Ａには、上記の通信機能に加えてインターネット４へ接続するためのネットワーク通信機能が設けられており、携帯端末装置２Ａとパーソナルコンピュータ３とは、このネットワーク通信機能によりインターネット４を介して接続可能とされる。この場合も、パーソナルコンピュータ３にアプリケーションソフトウェアを実装することで、パーソナルコンピュータ３の画面上に試験結果を表示し、あるいはパーソナルコンピュータ３を用いて試験結果の解析等を行うことができる。
【００３６】
また、携帯端末装置２，２Ａに搭載されている試験結果の表示機能や測定器１を制御するための操作機能は、携帯端末装置２，２Ａ上で実行されるアプリケーションソフトウェアによって実現されている。このようなソフトウェアを上記の通信機能を用いてパーソナルコンピュータ３から携帯端末装置２，２Ａへと転送（ダウンロード）することも可能である。この場合、ソフトウェアの更新により常に最新の状態で携帯端末装置２，２Ａを利用することができるようになる。
【００３７】
このように、試験結果を携帯端末装置からパーソナルコンピュータに転送することで、試験結果を大画面で確認できるなど、試験結果の取り扱いが容易となるとともに、詳細な解析なども可能となる。また、パーソナルコンピュータから携帯端末装置にアプリケーションソフトウェアを転送することで、試験システムの利便性を高めることができる。
【００３８】
以上説明したように、本発明の光パルス試験システムによれば、測定器に保存された試験結果を、上記測定器との間の無線通信を介して取得する携帯端末装置を備えるので、測定器の小型化を図ることができる。
【００３９】
本発明の適用範囲は上記実施形態に限定されることはない。本発明は、光ファイバ回線に光パルスを与え、前記光ファイバ回線からの戻り光に基づいて前記光ファイバ回線を試験する光パルス試験システム等に対し、広く適用することができる。
【符号の説明】
【００４０】
１      測定器
２      携帯端末装置
２Ａ    携帯端末装置
【図１】
2011038892.tif 000003
【図２】
2011038892.tif 000004